(57)【要約】 【課題】  ノズル部での残液の滞留の発生を防ぎ、ノズル部の汚損、液漏れの発生を一層良好に防止することができるノズルを有する容器用注出具用サックバックノズルを提供する【解決手段】  容器口部に配設されて液体内容物の注出を案内するサックバックノズルであって、ノズル５の壁の壁内面によって区画されて形成され液体内容物の流れを予定された流れの方向２０に案内して流通させる流路６を有し、流路６は先端に流れの方向２０に垂直な吐出口１８をノズル５の先端部において有し後端２１に容器２の内部と連通する導入口２２を有し、かつ、ノズル２の注出姿勢において吐出口１８の液体内容物が流れ落ちる下端６１の上方に壁内面に連続する液案内面を先細状に流れの方向２０若しくは流れの方向２０よりも下端６１寄りの方向に沿って吐出口１８から延長させた延長部を備えている【選択図】  図１
2006111319.tif 000002
【特許請求の範囲】
【請求項１】
容器口部に配設されて液体内容物の注出を案内するサックバックノズルであって、前記ノズルの壁の壁内面によって区画されて形成され液体内容物の流れを予定された流れの方向に案内して流通させる流路を有し、前記流路は先端に前記流れの方向に垂直な吐出口を前記ノズルの先端部において有し後端に前記容器の内部と連通する導入口を有し、かつ、前記ノズルの注出姿勢において前記吐出口の前記液体内容物が流れ落ちる下端の上方に前記壁内面に連続する液案内面を先細状に前記流れの方向若しくは前記流れの方向よりも前記下端寄りの方向に沿って前記吐出口から延長させた延長部を備えていることを特徴とするサックバックノズル
【請求項２】
前記流路は前記液体内容物の流れの方向に沿って、直線状または曲線状をなすことを特徴とする請求項１記載のサックバックノズル
【請求項３】
前記流路は前記流れの方向に垂直な断面積が前記流れの方向に沿って一定の管状または前記断面積が前記流れの方向に沿って変化する先細状をなすことを特徴とする請求項１記載のサックバックノズル
【請求項４】
前記延長部の前記液案内面の先端と前記下端とを含む延長部開口端面が、前記液案内面の先端を含む第一の平面と前記下端を含む第二の平面とが前記先端及び下端のいずれをも含まない面を介して接続させて構成され、または前記第一の平面と第二の平面とを隣接させて構成されたことを特徴とする請求項１記載のサックバックノズル
【請求項５】
前記延長部の前記液案内面先端と前記下端とを含む延長部開口端面を部分球面または部分楕円体面で構成したことを特徴とする請求項１記載のサックバックノズル
【請求項６】
前記延長部の液案内面の先端と前記下端とを含む仮想直線と前記吐出口面とのなす角度が１５°〜６０°であることを特徴とする請求項１記載のサックバックノズル
【請求項７】
前記ノズルの表面に液体内容物の注出時の操作を指示する標識を表示したことを特徴とする請求項１記載のサックバックノズル
【請求項８】
前記ノズルの先端部における前記ノズルの壁の先端面はノズルの壁の外側に行くほど後方に後退するように構成されていることを特徴とする請求項１記載のサックバックノズル
【請求項９】
前記容器はスクイズ容器であることを特徴とする請求項１記載のサックバックノズル
【請求項１０】
前記ノズルが前記容器口部に配設された状態における前記ノズルの中心線と前記容器口部の中心線とが平行であって、前記ノズルの中心線が前記容器口部の中心線から離れた位置にあることを特徴とする請求項１記載のサックバックノズル
【請求項１１】
前記ノズルの中心線と前記容器口部の中心線とを含む平面による前記ノズルの断面において前記液案内面の先端が前記下端よりも前記容器口部の中心線寄りにあることを特徴とする請求項１０記載のサックバックノズル
【請求項１２】
容器口部に配設されて液体内容物の注出を案内するサックバックノズルであって、前記ノズルの壁の壁内面によって区画されて形成され液体内容物の流れを予定された流れの方向に案内して流通させる流路を有し、前記流路は先端に前記流れの方向に垂直な吐出口を前記ノズルの先端部において有し後端に前記容器の内部と連通する導入口を有し、かつ、前記吐出口の前記流れの方向を含む仮想の平面における前記吐出口の一方の端部と他方の端部のうちの前記壁内面の周方向の前記他方の端部を含む一部分から前記壁内面に連続する液案内面を先細状に前記流れの方向若しくは前記流れの方向よりも前記一方の端部寄りの方向に沿って延長させた延長部を備えていることを特徴とするサックバックノズル
【発明の詳細な説明】
【技術分野】
【０００１】
この発明は容器から液体内容物を注出する場合に使用する注出具のサックバックノズルに関するものである。
【背景技術】
【０００２】
粘稠性の液体内容物を容器に充填して、使用時に容器を傾け、または容器をスクイズして必要量の液体内容物を注出する形式の容器では、図１５に示すようにノズル６５を備えた注出具を容器の口部に装着し、そのノズルを通して液体内容物５１を注出することがある。このようなノズルを具えた注出具では、必要量の注出が終了した後は、容器を元の姿勢に戻し、若しくは容器のスクイズを停止して容器を解放すると、ノズル内の液体内容物は容器内に戻るのであるが、液体内容物の一部はノズルの先端に付着して残留し、これがノズルの先端の汚損の原因となり、またはノズルから液だれする原因となる。この液体内容物がノズル先端に残留するのを防ぐためには、容器の傾きを元に戻したり、或いは容器のスクイズから容器を解放したときの容器内部の減圧による空気の吸入６６を利用して、ノズルから残留液体内容物をサックバックして容器内に回収することが有効であり、従来からこのサックバック機能を有効に発揮させるために、ノズルの形状、構造及びボトルの形状、構造について多くの開発がなされて来た。
【０００３】
【特許文献１】特開２００３−４７８９０号
【特許文献２】実開昭４９−９５０４１号
【特許文献３】特開昭５７−１３３８５４号
【発明の開示】
【発明が解決しようとする課題】
【０００４】
従来、このために開発されたノズルまたは容器としては、例えば特開２００３−４７８９０号（特許文献１）に示されたものがあるが、これは頭髪用フォーム剤等を吐出するノズルに関するもので、ノズルの先端口部に連結する喉部を設け、この喉部の長さや径の選択によって、液体内容物の吐出状態を改善しようとするものであるが、ノズル先端部３の開口端部３ａに液だれ防止用の湾曲または球面状の凹部を設けており、むしろこの凹部が液溜めになって、ノズル先端の汚損や液だれの原因になり易い。
【０００５】
また、実開昭４９−９５０４１号（特許文献２）には、吐出口がノズル中心軸に対して斜面に形成された容器が示されているが、この容器における液体内容物の吐出の断続は喉部の絞り２によって制御される。したがって、ノズルは常時、容器内に連通しているのではなく、絞り２が開いた時だけ連通するので、容器がスプリングバック可能な構造であることが必要であるばかりでなく、絞り２もスプリングバック可能に構成する必要があり、構造的な制約が多くなる。さらに、特開昭５７−１３３８５４号（特許文献３）には小型樽用のビール注ぎ口が示されており、この注ぎ口の先端には下方に向けて湾曲した湾曲部２３（図６）が形成されている。この湾曲部２３は液体内容物であるビールの吐出方向を下向きに制御するために機能するものであるが、一方で、液体内容物がビールでなくケチャップ等の粘稠性の液体である場合には、湾曲部２３に残液が滞留し、ノズル部の汚損、液漏れの原因となる。
【０００６】
このようなことから、ノズル部での残液の滞留の発生を防ぎ、ノズル部の汚損、液漏れの発生を一層良好に防止することができるノズルを有する容器用注出具の開発が望まれている。
【０００７】
この発明は上記の如き事情に鑑みてなされたものであって、ノズル部での残液の滞留の発生を防ぎ、ノズル部の汚損、液漏れの発生を一層良好に防止することができるノズルを有する容器用注出具を提供することを目的とするものである。
【課題を解決するための手段】
【０００８】
この目的に対応して、この発明のサックバックノズルは、容器口部に配設されて液体内容物の注出を案内するサックバックノズルであって、前記ノズルの壁の壁内面によって区画されて形成され液体内容物の流れを予定された流れの方向に案内して流通させる流路を有し、前記流路は先端に前記流れの方向に垂直な吐出口を前記ノズルの先端部において有し後端に前記容器の内部と連通する導入口を有し、かつ、前記ノズルの注出姿勢において前記吐出口の前記液体内容物が流れ落ちる下端の上方に前記壁内面に連続する液案内面を先細状に前記流れの方向若しくは前記流れの方向よりも前記下端寄りの方向に沿って前記吐出口から延長させた延長部を備えていることを特徴としている。
【発明の効果】
【０００９】
このようにノズルの先端部の構造を、ノズル吐出口の流路の先端に先端延長部を設け、例えば万年筆のペン先のように、ノズル壁内面の周方向の一部分を先細状にして先方に延長させることによって、液体内容物の吐出時にノズル吐出口付近に付着する残留液のうち表面張力によって上の壁内面に付着する分を下の壁内面に付着する分よりも多くし、下の壁内面から下に滴下する分を少なくして、液だれの発生を防止することができる。また、重力により上の壁内面に付着した残留液が壁面を伝わって下の壁内面に流れ落ちることを利用して、残留液をノズルの壁内面に均等に分布させ、注出動作を終了して手指による容器のスクイズ力が解消し、容器が原形に復元したときにサックバックによりノズルの先端からエアーがノズル内に流れ込む時に、吸引力がノズル内周面の残留液に均等に作用してサックバックが良好に行われる。これによってノズル先端部の汚損が回避される。
【００１０】
次にノズル内の流路を、流れの方向に沿って直線、曲線状にすることによって、液体内容物の流れを円滑にし、サックバック効果を良好に発揮させることができる。
【００１１】
次にノズル内の流路の開口断面積の変化率を一定にした直管状または先細のテーパー状にすることによって、液体内容物の流れを円滑にし、サックバック効果を良好に発揮させる。
【００１２】
次にノズルの先端面の形状、つまりノズルの切り口の形状を２平面若しくは３平面を隣接させて形成することにより、残留液の保持を良好にすることができて、液だれの防止、サックバックが良好になる。
【００１３】
次にノズルの先端面の形状を部分球面若しくは部分楕円体面で構成するときは、上の壁内面から下の壁内面に回る残留液の分布を均等にすることが容易で、サックバック効果が一層顕著になる。
【００１４】
ノズル先端の延長部の開口面と吐出口との角度を１５°〜６０°にすることによって、液体内容物の吐出状態が円滑になり、液だれが発生しにくくなり、サックバックも良好に行われる。
【００１５】
またノズルを容器口部から偏心した位置に設けることにより、注出操作における容器の傾き方向を規定し、ノズルに方向性を与えることができ、液だれの防止、サックバック効果の発揮が確実となる。
【発明を実施するための最良の形態】
【００１６】
以下、この発明の詳細を一実施の形態を示す図面について説明する。
【００１７】
図１及び図２において、１は注出具であって、容器２のネック部３に装着されて、容器２の開口９を閉じて使用され、液体内容物の注出を案内するものである。
【００１８】
容器２は弾性復元力を持つスクイズ容器その他の容器で、主としてマヨネーズ等の粘稠性及び流動性のある液体内容物を収容するものである。
【００１９】
注出具１は容器２のネック部３に装着して開口９を閉じる注出具基部４と、これと一体をなして突出しているノズル５とを有する。このノズル５がこの発明の対象である。
【００２０】
ノズル５はノズル５の壁８内にノズル孔１１を貫通させて有する。ノズル孔１１は流路６と先端延長部１２とからなっている。流路６は液体内容物の流れを拘束して、かつ案内して設計された流れの方向に流通させる通路である。ノズルの壁８は筒状をなすので、内面１３、端面１４及び外表面１５とを有するが、この内面１３が流路６の外表面７を区画し、さらにその延長した部分が先端延長部１２の外表面１６を区画する。
【００２１】
流路６は先端１７に吐出口１８を有しかつ後端２１に導入口２２を有する。導入口２２は容器２の開口９に連通している。
【００２２】
流路６は図７に示すように、予定された液体内容物の流れの方向２０に沿った直線状または曲線状の中心線２３をもって図１における導入口２２から吐出口１８まで直管状（図７（ａ））または曲管状（図７（ｄ））に形成される。流路６は流れの方向２０（中心線２３）に垂直な流路６の断面積の一定の直円筒状または先端１７に行くほど断面積が減少する先細状をなしている。吐出口１８は流れの方向２０に垂直である。
【００２３】
流路６が直円筒状である場合も、テーパー状の先細である場合も、その流れの方向２０に垂直な吐出口１８の形状は図６及び図７に示すように円（図６（ｂ））、（図７（ｂ））、縦向きの楕円、横向きの楕円（図６（ｃ））、（図７（ｃ））などを採ることができる。吐出口１８は流れの方向２０に垂直であり、したがって流路６が直円筒状の場合は吐出口１８の法線６３と中心線２３とは平行をなすが、図７（ｄ）に示すように流路６が曲管状の場合は吐出口１８の法線６４は中心線２３の接線と平行をなす。
【００２４】
図３に示すように、ノズル５の先端延長部１２は流路６の先端の吐出口１８のさらに先方に設けられた流路で、この先端延長部１２は吐出口１８の中心線２３回りの壁内面１３の周方向の一部分２５ｂからなる液案内面６５が吐出口１８から先方に行くほど幅が小さくなる先細状に流れの方向２０に沿って先方に延長している。換言すれば流路６の吐出口１８から先端延長部１２が吐出口１８の中心線２３の方向（流れの方向２０）の先方に延長している。すなわち、吐出口１８の一の径Ｄ１８方向に対向している一方の側２５ａと他方の側２５ｂにおいて、一方の側２５ａよりも他方の側２５ｂの方が吐出口１８の流れの方向２０の方向の先方に延出している。（但し図３で示すように、他方の側２５ｂを断面で示した場合は、中心線２３の方向と他方の側２５ｂとの方向は一致していない。）吐出口１８の一方の径Ｄ１８は吐出口１８が円形である場合の直径、楕円形または長円である場合の長径または短径であり、また、矩形の場合は中央の幅の部分である。一方の側２５ａは吐出口１８と一致しているので形状としては吐出口１８の先方には延出していない。
【００２５】
注出時の容器及びノズルの傾きを考慮すると、一方の側２５ａはノズルの注出姿勢において吐出口１８の液体内容物が流れ落ちる下端６１になる部分であり、他方の側２５ｂは上になる部分であり、その先端がノズルの注出姿勢において最も上方に位置する上端６２となる部分である。
【００２６】
最終的に液体内容物は先端延長部１２の先端の延長部開口３１から吐出される。この延長部開口３１の形状を輪郭から規定される面の形状として把握するときには開口３１は先端（上端６２）と下端６１を含む面からなっており、この開口３１の形状としては図８  （ａ）に示すように１個の平面または曲面３０ａで構成してもよいし、または、図８（ｂ）に示すように、一方の側２５ａの下端６１を含む平面２６ａと他方の側２５ｂの上端６２を含む平面２６ｂとを境界２８で隣接させた形状の面３０ｂでもよいし、または、図８（ｃ）に示すように、吐出口の一方の側２５ａも延長して下端６１とし、平面２６ａと平面２６ｂとを下端６１、上端６２を含まない他の平面２７を介して境界２９ａ、２９ｂで接続させた形状の面３０ｃでもよい。２つの平面２６ａ、２６ｂとで構成した先端開口部形状では流路６内を流れて流路６から拘束を受けていた液体内容物が、吐出口１８上の境界２８で、拘束を解かれて解放されるので、吐出口１８を出た後の流れの状態が安定する。
【００２７】
中間の平面２７を用いた図８（ｃ）の場合は、流路６を流れる液体内容物が最初に拘束を解かれる部分が中間の平面２７であるので、図８（ｂ）に示したものより、液体内容物の流れの安定と流量を両立させることができ、こうして、他方の側の壁面２５ｂへの液体内容物の付着の状態を制御することができる。さらには、その先端の延長部開口３１の形状としては図９（ａ）に示すように部分球面または図９（ｂ）に示すように部分楕円体面のような曲面とすることもできる。
【００２８】
先端部形状を曲面で形成した場合は曲率を選択して、吐出する流れの状態を調節し、他方の側の壁面２５ｂへの液体内容物の付着の状態を制御することができる。
【００２９】
いずれの場合も図３に示すように、ノズル５の先端延長部１２の下端６１と上端６２を結ぶ仮想直線３２と吐出口面１８となす角θを１５°〜６０°にすることによって、他方の側の壁面２５ｂへの液体内容物の付着の状態を制御することができる。また図８（ｃ）のような場合も点６１と点６２を含む仮想直線３２と吐出口面１８とのなす角が１５°〜６０°であればよい。
【００３０】
次にこのように構成したノズル５における液体内容物の注出動作及びサックバック動作について説明する。
【００３１】
図４に示すように、容器２を傾けて注出姿勢をとる。このとき、容器２の傾け方向としてはノズルの先端延長部１２の下端６１が下になり、他方の側２５ｂの上端６２が上になる。
【００３２】
この状態から図１に示されている容器２をスクイズすると液体内容物５１はノズル５の流路６の吐出口１８から、流れの方向２０で示す方向に押し出される。このとき吐出流は先端延長部１２の他方の側２５ｂの壁内面である液案内面６５に沿って流れる。したがって吐出口１８の下端６１すなわち吐出する吐出流の量は液案内面６５に伝わる量よりにより少なくなる。結局、流れの方向２０の力に重力も作用して液体内容物５１は矢印５２で示すように流れ落ちる。
【００３３】
次に液体内容物の注出が終わって、容器２のスクイズが解消すると、図５に示すように、ノズル５の先端には吸引力が作用するが、液案内面６５は下端６１より表面積が大きいので、表面張力により液体内容物５１が残留する。この残留した液体内容物５１が下端６１に向かって液案内面６５を伝わって流れ下る傾向となり、その結果、先端延長部１２では内面１３に液体内容物が均一に分布することとなり、吸引力が無駄なく均一に作用して矢印５３で示すように良好にサックバックする。これによってノズル先端に液体内容物の残留が発生することがない。
【００３４】
次の他の実施態様について説明する。
前述の通り、図３、図４に示すノズル５の流路６は先端延長部１２の他方の側２５ｂが上になり一方の側２５ａが下になるように傾けて液体内容物を注出するときに顕著な効果を発揮する。このようにノズル５は効果を発揮するための使用上の方向性を持っている。この方向性を使用者に知らせるために、図１０に示すように、ノズル５には方向性を指示するための標識４１を設けるのがよい。図１０（ａ）、（ｂ）に示す実施例の場合は矢印４２がノズル５の上面に表示されている。他にも上下方向の「上」を示す記号や文字でもよい。
【００３５】
次に、ノズル５の先端延長部１２を形成するに当たって、ノズル５の先端を平面または曲面でカットして形成した形状を採用した場合は図１に示すようにノズル孔１１の内面１３の先方にノズルの端面１４及び外表面１５がさらに延出していることとなり、ノズル５の最先端は端面１４と外表面１５との境界線４３が構成することになる。一方、液体内容物の粘性その他の性状にもよるが、この先端延長部１２に残留した液体内容物が、内面１３から端面１４とに伝わり、さらに最先端の境界線４３を回って外表面１５に回り込むことがあり、これが先端延長部１２近傍の汚損の原因となることがある。そこで図１１、図１２に示す実施態様におけるノズル５では、最先端部分を面取りした形状としている。すなわち、ノズルの端面１４及び外表面１５が内面１３と端面１４との境界稜線４４より後方に後退し、境界稜線４４が最先端となっている。これにより先端延長部１２の内面１３における残液の保持を良好にし、他方の側の壁面２５ｂへの液体内容物の付着の状態を抑制することができる。図８ｂ、図８ｃでもノズル５の先端は面取りされた形状で示されている。
【００３６】
図１３及び図１４に示す実施態様は以上説明したノズル５を注出具１としてのヒンジキャップ７１に適用したものである。ヒンジキャップ７１は図１に示されるところの容器２の開口９に装着して開口９を閉じるヒンジキャップ基部７４とヒンジキャップ基部７４の上面を開閉するカバーキャップ７６とをヒンジ７２で連結している。
【００３７】
ヒンジキャップ基部７４にはこの発明のノズル５が配設されるが、前述の通り、ノズル５は機能を十分に発揮するためには、注出時の傾きの方向に指定を持つ方向性を持つのであり、そこでこの実施態様ではこのノズルの方向性を指示する標識として、ヒンジ７２及びカバーキャップ７６を利用する。したがって、ノズル５はヒンジキャップ基部７４の中心７７から偏心した位置に配置され、ヒンジキャップ基部７４の中心７７と周辺部７８との間に配置され、かつこのとき、ノズル５の先端延長部１２の一方の側２５が周辺部７８寄りとなり、他方の側２５ｂが中心７７寄りとなるように向きを定めて配置される。このようにするときは、使用時の傾きを指示する別の標識を設けなくても、傾きを逆に傾けたときはカバーキャップ７６が注出の邪魔になるところから、逆にこれを標識として利用することができる。
【００３８】
さらに他の実施態様としては、容器口部に配設されて液体内容物の注出を案内するサックバックノズルであって、前記ノズルの壁の壁内面によって区画されて形成され液体内容物の流れを予定された流れの方向に案内して流通させる流路を有し、前記流路は先端に前記流れの方向に垂直な吐出口を前記ノズルの先端部において有し後端に前記容器の内部と連通する導入口を有し、かつ、前記吐出口の前記流れの方向を含む仮想の平面における前記吐出口の一方の端部と他方の端部のうちの前記壁内面の周方向の前記他方の端部を含む一部分から前記壁内面に連続する液案内面を先細状に前記流れの方向若しくは前記流れの方向よりも前記一方の端部寄りの方向に沿って延長させた延長部を備えていることを特徴とするサックバックノズルがある。
【００３９】
以上の説明から明らかな通り、この発明によればこのように、ノズルの先端部の構造を、ノズル吐出口の一の径方向、すなわち、吐出口の直径方向または半径方向に平行な方向における対向する２つのノズル内壁面を、つまり上内壁面と下内壁面のうち、上内壁面を下内壁面よりもノズル中心線方向の先方に延出させることによって、液体内容物の吐出時にノズル吐出口付近に付着する残留液のうち表面張力によって上内壁面に付着する分を下内壁面に付着する分よりも多くし、下内壁面から下に流れ落ちる分を少なくして、液だれの発生を防止することができる。また、重力により上内面に付着した残留液が壁面を伝わって下内壁面に流れ落ちることを利用して、残留液をノズルの内壁面に均等に分布させ、注出動作を終了して手指による容器のスクイズ力が解消し、容器が原形に復元したときにサックバックによりノズルの先端からエアーがノズル内に流れ込む時に、減圧力がノズル内周面の残留液に均等に作用してサックバックが良好に行われる。これによってノズル先端部の汚損を回避することができるサックバック用ノズルを得ることができる。
【図面の簡単な説明】
【００４０】
【図１】注出具の縦断面図。
【図２】注出具の正面部分図。
【図３】ノズルの先端部の拡大断面説明図。
【図４】ノズルの注出状態を示す縦断面図。
【図５】ノズルのサックバック状態を示す縦断面図。
【図６】ノズルを示す図で、（ａ）は縦断面図、（ｂ）は横断面図、（ｃ）は他の横断面図。
【図７】ノズルを示す図で、（ａ）は縦断面図、（ｂ）は横断面図、（ｃ）は他の横断面図、  （ｄ）は他の形態のノズルの縦断面図。
【図８】他の各例のノズルを示す縦断面図。
【図９】他の各例のノズルを示す縦断面図。
【図１０】容器に装着したノズルを示す図で、（ａ）は平面図、（ｂ）は側面図。
【図１１】他の注出具の縦断面図。
【図１２】他の注出具の正面部分図。
【図１３】ヒンジキャップでカバーキャップを開いた状態を示す図で、（ａ）は平面図、（ｂ）は縦断面図、（ｃ）は底面図。
【図１４】ヒンジキャップを示す図で、（ａ）はカバーキャップを閉じた状態の正面図、（ｂ）はカバーキャップを閉じた状態の側面図、（ｃ）はカバーキャップを閉じた状態の背面図、（ｄ）はカバーキャップを開いた状態の正面図、（ｅ）はカバーキャップを開いた状態の側面図。
【図１５】従来のサックバックノズルを示す縦断面図。
【符号の説明】
【００４１】
１                      注出具
２                      容器
３                      ネック部
４                      注出具基部
５                      ノズル
６                      流路
７                      流路の外表面
８                      ノズルの壁
９                      開口
１１                    ノズル孔
１２                    先端延長部
１３                    内面
１４                    端面
１５                    ノズルの外表面
１６                    先端延長部の外表面
１７                    先端
１８                    吐出口
２０                    流れの方向
２１                    後端
２２                    導入口
２３                    中心線
２５ａ、２５ｂ          一方の側と他方の側
２６ａ、２６ｂ          平面
２７                    平面
２８                    境界
２９ａ、２９ｂ          境界
３０ａ、３０ｂ、３０ｃ  面
３１                    延長部開口
３２                    仮想の平面（Ｚ−Ｘ平面上では直線）
４１                    標識
４２                    矢印
４３                    境界線
４４                    接続稜線
５１                    液体内容物
５２                    流れ落ちる方向
５３                    サックバックの方向
６１                    下端
６２                    上端
６３                    吐出口の法線
６４                    法線
６５                    液案内面
６６                    空気の吸入
７１                    ヒンジキャップ
７２                    ヒンジ
７４                    ヒンジキャップ基部
７６                    カバーキャップ
７７                    中心
７８                    周辺部
【図１】
2006111319.tif 000003
【図２】
2006111319.tif 000004
【図３】
2006111319.tif 000005
【図４】
2006111319.tif 000006
【図５】
2006111319.tif 000007
【図６】
2006111319.tif 000008
【図７】
2006111319.tif 000009
【図８】
2006111319.tif 000010
【図９】
2006111319.tif 000011
【図１０】
2006111319.tif 000012
【図１１】
2006111319.tif 000013
【図１２】
2006111319.tif 000014
【図１３】
2006111319.tif 000015
【図１４】
2006111319.tif 000016
【図１５】
2006111319.tif 000017